(57)【要約】  本発明は、ケーブル引込孔、弾性片支持軸および端子取付孔が設けられるベースと、トーションばねと、弾性端およびケーブル圧着壁を含む弾性片と、スライド斜面、ガイド溝および位置決め段差部が設けられるスライダと、ハンドル先端部および弾性片圧着ボスが設けられるハンドルと、接触端子と、スライダ支持アームが設けられるケーブル圧着ケースと、を含み、ハンドルがベースにヒンジ接続され、弾性片が弾性片支持軸に接続され、トーションばねが弾性片を弾き飛ばすために用いられ、ガイド溝がスライダ支持アームに接続され、スライダがさらにスライダを弾性片へスライドさせるための弾性装置と接続され、接触端子が端子取付孔に挿通され、ケーブルを係止する時、弾性端が位置決め段差部に接続され、ケーブル圧着壁がケーブルを接触端子に押し付け、係止を解除する時、ハンドル先端部がスライド斜面に接続されるケーブル迅速係止用の電気コネクタを開示する。本発明ではケーブル係止を完了した後、ハンドル先端部が、弾性端を位置決め段差部内から滑り出させることができる状態になるようにスライダを押圧することがなければ、本発明によるケーブル圧着の確実性が影響を受けることがない。【選択図】図１
2021508403.tif 000002
【特許請求の範囲】
【請求項１】
ケーブル引込孔（１１）、弾性片支持軸（１５）および端子取付孔（１６）が設けられるベース（１）と、トーションばね（２）と、弾性端（３１）およびケーブル圧着壁（３２）を含む弾性片（３）と、スライド斜面（４１）、ガイド溝（４２）および位置決め段差部（４３）が設けられるスライダ（４）と、ハンドル先端部（５２）および弾性片圧着ボス（５３）が設けられるハンドル（５）と、接触端子（８）と、スライダ支持アーム（９２）が設けられるケーブル圧着ケース（９）と、を含み、
前記ハンドル（５）がベース（１）にヒンジ接続され、前記弾性片（３）が弾性片支持軸（１５）に接続され、前記トーションばね（２）が弾性片（３）を弾き飛ばすために用いられ、前記ガイド溝（４２）がスライダ支持アーム（９２）に接続され、前記スライダ（４）がさらにスライダ（４）を弾性片（３）へスライドさせるための弾性装置と接続され、前記接触端子（８）が端子取付孔（１６）に挿通され、
ケーブルを係止する時、前記弾性端（３１）が位置決め段差部（４３）に接続され、前記ケーブル圧着壁（３２）がケーブルを接触端子（８）に押し付け、係止を解除する時、前記ハンドル先端部（５２）がスライド斜面（４１）に接続される、
ことを特徴とするケーブル迅速係止用の電気コネクタ。
【請求項２】
前記ベース（１）にさらにハンドル取付軸（１４）が設けられ、前記ハンドル（５）にさらにハンドル取付軸（１４）と接続するための位置決め孔（５１）が設けられる、ことを特徴とする請求項１に記載のケーブル迅速係止用の電気コネクタ。
【請求項３】
前記トーションばね（２）は、弾性端（３１）と接続される弾性壁（２１）およびケーブル圧着ケース（９）と接続される支持アーム（２２）を含み、弾性片（３）と弾性片支持軸（１５）との間に設置される、ことを特徴とする請求項１に記載のケーブル迅速係止用の電気コネクタ。
【請求項４】
前記ケーブル圧着ケース（９）に支持アーム（２２）と接続されるばね取付孔（９１）が設けられる、ことを特徴とする請求項３に記載のケーブル迅速係止用の電気コネクタ。
【請求項５】
前記弾性装置は一端がスライダ（４）に接続され、他端がベース（１）の内壁に接続されるばね（６）である、ことを特徴とする請求項１に記載のケーブル迅速係止用の電気コネクタ。
【請求項６】
前記スライダ（４）のばね（６）接続端にさらにばね（６）と接続されるばね接続孔（４４）が設けられる、ことを特徴とする請求項５に記載のケーブル迅速係止用の電気コネクタ。
【請求項７】
前記ベース（１）にはさらに、係止を解除する時に弾性端（３１）と接続されるストッパ壁（１３）が設けられる、ことを特徴とする請求項１に記載のケーブル迅速係止用の電気コネクタ。
【請求項８】
前記ベース（１）にさらにケーブル圧着ケース接続軸（１７）が設けられ、前記ケーブル圧着ケース（９）にさらにケーブル圧着ケース接続軸（１７）に接続される固定孔（９３）が設けられる、ことを特徴とする請求項１に記載のケーブル迅速係止用の電気コネクタ。
【請求項９】
前記接触端子（８）は端部が互いに接続されるケーブル圧着領域（８１）と接続領域（８２）とを含み、前記ケーブル圧着領域（８１）が端子取付孔（１６）と接続される、ことを特徴とする請求項１に記載のケーブル迅速係止用の電気コネクタ。
【請求項１０】
前記ベース（１）にはさらに、ケーブルを係止する時に前記ハンドル（５）に設けられるロック孔（５４）と接続されるハンドルロックアップ部（１２）が設けられる、ことを特徴とする請求項１に記載のケーブル迅速係止用の電気コネクタ。
【発明の詳細な説明】
【技術分野】
【０００１】
本発明は、電気コネクタの技術分野に関し、具体的にはケーブル迅速係止用の電気コネクタに関する。
【背景技術】
【０００２】
従来の現場でケーブルを取り付けるためのケーブル係止構造はねじでケーブルを係止することが多く、ねじによるケーブル係止は接続が確実であるという利点を有するが、取り付けに時間がかかり、かつ電流がねじによって作業者に害を与える可能性があり、ねじが紛失しやすいという欠点がある。ねじによるケーブル係止の欠点を克服するために、多数の会社は弾性片によるケーブル係止構造を用いたコネクタを開発し、現場での取り付けに応用し、工場での取り付けによる制約を回避し、取り付けの時間を節約し、取り付け可能な場所を充実させている。従来のケーブル迅速係止用のコネクタは一つのクランクによって弾性ガスケットを駆動してケーブルを端子と接触させるように押圧して迅速なケーブル圧着を実現することが多く、例えば特許文献１（中国特許出願番号２０１５１０１４９７５３．３）において「ケーブル迅速係止構造を有するコネクタ」を開示しているが、このような電気コネクタは押圧クランクが緩みやすく、押圧クランクが緩んだら、弾性片もそれにつれて緩み、弾性片にロックアップ機能がなく、接続の確実性を向上させる必要がある。
【先行技術文献】
【特許文献】
【０００３】
【特許文献１】中国特許出願公開第１０４７６７０４１号明細書
【発明の概要】
【発明が解決しようとする課題】
【０００４】
従来技術の欠点を克服するために、本発明はケーブル迅速係止用の電気コネクタを提供し、従来技術の電気コネクタの係止効果が低く、確実性が低いという技術課題を解決する。
【課題を解決するための手段】
【０００５】
上記目標を達成するために、本発明は以下の技術手段を採用する。
【０００６】
ケーブル迅速係止用の電気コネクタは、
ケーブル引込孔、弾性片支持軸および端子取付孔が設けられるベースと、トーションばねと、弾性端およびケーブル圧着壁を含む弾性片と、スライド斜面、ガイド溝および位置決め段差部が設けられるスライダと、ハンドル先端部および弾性片圧着ボスが設けられるハンドルと、接触端子と、スライダ支持アームが設けられるケーブル圧着ケースと、を含み、
前記ハンドルがベースにヒンジ接続され、前記弾性片が弾性片支持軸に接続され、前記トーションばねが弾性片を弾き飛ばすために用いられ、前記ガイド溝がスライダ支持アームに接続され、前記スライダがさらにスライダを弾性片へスライドさせるための弾性装置と接続され、前記接触端子が端子取付孔に挿通され、
ケーブルを係止する時、前記弾性端が位置決め段差部に接続され、前記ケーブル圧着壁がケーブルを接触端子に押し付け、係止を解除する時、前記ハンドル先端部がスライド斜面に接続されることを特徴とする。
【０００７】
本発明の好適な形態として、前述のケーブル迅速係止用の電気コネクタにつき、ベースにさらにハンドル取付軸が設けられ、ハンドルにさらにハンドル取付軸と接続するための位置決め孔が設けられる。
【０００８】
本発明の好適な形態として、前述のケーブル迅速係止用の電気コネクタにつき、トーションばねは、弾性端と接続される弾性壁およびケーブル圧着ケースと接続される支持アームを含み、弾性片と弾性片支持軸との間に設置される。
【０００９】
本発明の好適な形態として、前述のケーブル迅速係止用の電気コネクタにつき、ケーブル圧着ケースに支持アームと接続されるばね取付孔が設けられる。
【００１０】
本発明の好適な形態として、前述のケーブル迅速係止用の電気コネクタにつき、弾性装置は一端がスライダに接続され、他端がベース内壁に接続されるばねである。
【００１１】
本発明の好適な形態として、前述のケーブル迅速係止用の電気コネクタにつき、スライダのばね接続端にさらにばねと接続されるばね接続孔が設けられる。
【００１２】
本発明の好適な形態として、前述のケーブル迅速係止用の電気コネクタにつき、ベースにはさらに、係止を解除する時に弾性端と接続されるストッパ壁が設けられる。
【００１３】
本発明の好適な形態として、前述のケーブル迅速係止用の電気コネクタにつき、ベースにさらにケーブル圧着ケース接続軸が設けられ、ケーブル圧着ケースにさらにケーブル圧着ケース接続軸に接続される固定孔が設けられる。
【００１４】
本発明の好適な形態として、前述のケーブル迅速係止用の電気コネクタにつき、接触端子は端部が互いに接続されるケーブル圧着領域と接続領域とを含み、ケーブル圧着領域が端子取付孔と接続される。
【００１５】
本発明の好適な形態として、前述のケーブル迅速係止用の電気コネクタにつき、ベースにはさらに、ケーブルを係止する時にハンドルに設けられるロック孔と接続されるハンドルロックアップ部が設けられる。
【００１６】
本発明は、ケーブル係止プロセスにおいて、従来技術のようにハンドルによって弾性片を直接押圧するのではなく、スライダによって弾性片にケーブルの端部を押圧させ、ケーブル係止を完了した後、ハンドルが緩んでも、ハンドル先端部が、弾性端を位置決め段差部内から滑り出させることができる状態になるようにスライダを押圧することがなければ、本発明によるケーブル圧着の確実性が影響を受けることがないという有益な効果を達成する。
【００１７】
本発明は、ケーブル圧着状態での確実性を向上させ、ケーブル係止状態をより確実にし、かつ係止解除プロセスおよびケーブル係止プロセスの作業効率が高い。
【図面の簡単な説明】
【００１８】
【図１】本発明の係止解除状態図である。
【図２】本発明のケーブル係止状態図である。
【図３】本発明のベースの構成図である。
【図４】本発明のトーションばねの構成図である。
【図５】本発明の弾性片の構成図である。
【図６】本発明のスライダの構成図である。
【図７】本発明のハンドルの構成図である。
【図８】本発明の接触端子の構成図である。
【図９】本発明のケーブル圧着ケースの構成図である。
【発明を実施するための形態】
【００１９】
以下に図面と関連付けて本発明をさらに記述する。以下の実施例は本発明の技術手段をより明確に説明するためのものに過ぎず、本発明の保護範囲を限定するものではない。
【００２０】
図１から図９に示すように、本実施例は、ケーブル引込孔１１、弾性片支持軸１５および端子取付孔１６が設けられるベース１と、トーションばね２と、弾性端３１およびケーブル圧着壁３２を含む弾性片３と、スライド斜面４１が設けられるスライダ４と、ハンドル先端部５２および弾性片圧着ボス５３が設けられるハンドル５と、接触端子８と、スライダ支持アーム９２が設けられるケーブル圧着ケース９と、を含むケーブル迅速係止用の電気コネクタを開示する。
【００２１】
ハンドル５がベース１にヒンジ接続され（ベース１のある点回りに一定角度で回転可能である）、弾性片３が弾性片支持軸１５に接続され、トーションばね２が弾性片３を弾き飛ばすために用いられ、ガイド溝４２がスライダ支持アーム９２に接続され、それによってスライダ４をスライダ支持アーム９２に沿ってスライド可能にし、スライダ４がさらにスライダ４を弾性片３へスライドさせるための弾性装置と接続され、本実施例の弾性装置は一端がスライダ４に接続され、他端がベース１内壁に接続されるばね６が好ましい。
【００２２】
図６に示すように、ばね６とスライダ４との分離を回避するために、好ましくはスライダ４のばね６接続端にさらにばね６の端部と接続されるばね接続孔４４が設けられる。
【００２３】
接触端子８が端子取付孔１６に挿通され、具体的には、本実施例の接触端子８は端部が互いに接続されるケーブル圧着領域８１と接続領域８２とを含み、ケーブル圧着領域８１が端子取付孔１６と接続される。
【００２４】
具体的には、本実施例のベース１にさらにハンドル取付軸１４が設けられ、ハンドル５にさらにハンドル取付軸１４と接続するための位置決め孔５１が設けられ、つまり、ハンドル５はハンドル取付軸１４と位置決め孔５１との係合によってベース１のある点回りに一定角度で回転可能になる。
【００２５】
具体的には、本実施例のトーションばね２は、弾性端３１と接続される弾性壁２１およびケーブル圧着ケース９と接続される支持アーム２２を含み、弾性片３と弾性片支持軸１５との間に設置され、ケーブル圧着ケース９に支持アーム２２と接続されるばね取付孔９１が設けられる。
【００２６】
係止解除状態で、弾性端３１が過度に弾き飛ばされることを回避するために、好ましくはベース１にはさらに、係止を解除する時に弾性端３１と接続されるストッパ壁１３が設けられる。
【００２７】
ベース１にさらにケーブル圧着ケース接続軸１７が設けられ、ケーブル圧着ケース９にさらにケーブル圧着ケース接続軸１７に接続される固定孔９３が設けられ、ベース１がケーブル圧着ケース接続軸１７によってケーブル圧着ケース９を固定し、ケーブル圧着ケース９のベース１に相対する移動を回避する。
【００２８】
ケーブル係止状態時の、ハンドル５の外れをさらに回避するために、本実施例はさらにベース１にハンドルロックアップ部１２が設けられ、ハンドル５にロック孔５４が設けられ、ケーブルを係止する時、ハンドルロックアップ部１２がロック孔５４に係入され、それによってハンドル５の緩みを回避する。
【００２９】
以下に本実施例のケーブル係止プロセスおよび係止解除プロセスを順に説明する。
【００３０】
１．ケーブル係止プロセス
図１は本発明の係止解除状態での状態図である。該状態で、弾性端３１がストッパ壁１３に接続され、ケーブル圧着壁３２がケーブル圧着領域８１と接触しないか又は軽く接触し、ケーブル７が比較的容易にケーブル引込孔１１からケーブル圧着壁３２とケーブル圧着領域８１との間に挿入可能である。
【００３１】
図１および図２を参照すると、ケーブル７の端部がケーブル圧着壁３２とケーブル圧着領域８１との間に挿入されている時（ケーブル７の端部は冷間プレス端子であってもよく、またケーブル７の絶縁層が剥離されて、露出した心線部分であってもよい）、手でハンドル５を回し、該過程で、弾性片圧着ボス５３が弾性端３１をケーブル７の方向へ持続的に押圧し、ハンドル先端部５２がスライド斜面４１に沿ってスライドし、弾性端３１がある程度まで押圧された時、位置決め段差部４３に進入可能になり、このとき、スライダ４がばね６の作用下で弾性片３の方向へスライドし、位置決め段差部４３が弾性端３１を押さえ、弾性端３１の弾きを回避し、弾性片３の他端、即ちケーブル圧着壁３２は、このとき、ケーブル７の端部をケーブル圧着領域８１にしっかり押し付け、ケーブル７と接触端子８との迅速な圧着接合を実現することができる。
【００３２】
ケーブル係止を完了した後、ハンドルロックアップ部１２がロック孔５４に係入され、それによってハンドル５の緩みを回避する。
【００３３】
２．係止解除プロセス
図２は本発明のケーブル係止状態での状態図である。ケーブル７の係止を解除しようとする時、即ちケーブル７と本発明を分離しようとする時、逆方向にハンドル５を回し、まずロック孔５４とハンドルロックアップ部１２とを分離し、続いてハンドル先端部５２をスライド斜面４１に沿ってスライドさせ、ハンドル５の回転（回転方向がケーブル係止プロセスと相反する）中、スライダ４がばね６を持続的に圧縮し、弾性片３から離れる方向へスライドし、スライダ４がある位置までスライドした時、弾性端３１が位置決め段差部４３から滑り出し可能になり、ケーブル圧着壁３２と被圧着ケーブル７とが分離され、ケーブル７を抜き出し、係止解除プロセスを完了することができる。
【００３４】
本発明は、ケーブル係止プロセスにおいて、従来技術のようにハンドル５によって弾性片を直接押圧するのではなく、スライダ４によって弾性片３にケーブル７の端部を押圧させ、ケーブル係止を完了した後、ハンドル５が緩んでも、ハンドル先端部５２が、弾性端３１を位置決め段差部４３内から滑り出させることができる状態になるようにスライダ４を押圧することがなければ、本発明によるケーブル係止の確実性が影響を受けることがない。
【００３５】
本発明は、ケーブル係止状態での確実性を向上させ、ケーブル係止状態をより確実にし、かつ係止解除プロセスおよびケーブル係止プロセスの作業効率が高い。
【００３６】
以上は本発明の好適な実施形態に過ぎず、当業者であれば、本発明の技術的原理から逸脱することなく、様々な改良および変形を行うことができ、これらの改良および変形も本発明の保護範囲に属することに注意すべきである。
【００３７】
（付記）
（付記１）
ケーブル引込孔（１１）、弾性片支持軸（１５）および端子取付孔（１６）が設けられるベース（１）と、トーションばね（２）と、弾性端（３１）およびケーブル圧着壁（３２）を含む弾性片（３）と、スライド斜面（４１）、ガイド溝（４２）および位置決め段差部（４３）が設けられるスライダ（４）と、ハンドル先端部（５２）および弾性片圧着ボス（５３）が設けられるハンドル（５）と、接触端子（８）と、スライダ支持アーム（９２）が設けられるケーブル圧着ケース（９）と、を含み、
前記ハンドル（５）がベース（１）にヒンジ接続され、前記弾性片（３）が弾性片支持軸（１５）に接続され、前記トーションばね（２）が弾性片（３）を弾き飛ばすために用いられ、前記ガイド溝（４２）がスライダ支持アーム（９２）に接続され、前記スライダ（４）がさらにスライダ（４）を弾性片（３）へスライドさせるための弾性装置と接続され、前記接触端子（８）が端子取付孔（１６）に挿通され、
ケーブルを係止する時、前記弾性端（３１）が位置決め段差部（４３）に接続され、前記ケーブル圧着壁（３２）がケーブルを接触端子（８）に押し付け、係止を解除する時、前記ハンドル先端部（５２）がスライド斜面（４１）に接続される、
ことを特徴とするケーブル迅速係止用の電気コネクタ。
【００３８】
（付記２）
前記ベース（１）にさらにハンドル取付軸（１４）が設けられ、前記ハンドル（５）にさらにハンドル取付軸（１４）と接続するための位置決め孔（５１）が設けられる、ことを特徴とする付記１に記載のケーブル迅速係止用の電気コネクタ。
【００３９】
（付記３）
前記トーションばね（２）は、弾性端（３１）と接続される弾性壁（２１）およびケーブル圧着ケース（９）と接続される支持アーム（２２）を含み、弾性片（３）と弾性片支持軸（１５）との間に設置される、ことを特徴とする付記１に記載のケーブル迅速係止用の電気コネクタ。
【００４０】
（付記４）
前記ケーブル圧着ケース（９）に支持アーム（２２）と接続されるばね取付孔（９１）が設けられる、ことを特徴とする付記３に記載のケーブル迅速係止用の電気コネクタ。
【００４１】
（付記５）
前記弾性装置は一端がスライダ（４）に接続され、他端がベース（１）の内壁に接続されるばね（６）である、ことを特徴とする付記１に記載のケーブル迅速係止用の電気コネクタ。
【００４２】
（付記６）
前記スライダ（４）のばね（６）接続端にさらにばね（６）と接続されるばね接続孔（４４）が設けられる、ことを特徴とする付記５に記載のケーブル迅速係止用の電気コネクタ。
【００４３】
（付記７）
前記ベース（１）にはさらに、係止を解除する時に弾性端（３１）と接続されるストッパ壁（１３）が設けられる、ことを特徴とする付記１に記載のケーブル迅速係止用の電気コネクタ。
【００４４】
（付記８）
前記ベース（１）にさらにケーブル圧着ケース接続軸（１７）が設けられ、前記ケーブル圧着ケース（９）にさらにケーブル圧着ケース接続軸（１７）に接続される固定孔（９３）が設けられる、ことを特徴とする付記１に記載のケーブル迅速係止用の電気コネクタ。
【００４５】
（付記９）
前記接触端子（８）は端部が互いに接続されるケーブル圧着領域（８１）と接続領域（８２）とを含み、前記ケーブル圧着領域（８１）が端子取付孔（１６）と接続される、ことを特徴とする付記１に記載のケーブル迅速係止用の電気コネクタ。
【００４６】
（付記１０）
前記ベース（１）にはさらに、ケーブルを係止する時に前記ハンドル（５）に設けられるロック孔（５４）と接続されるハンドルロックアップ部（１２）が設けられる、ことを特徴とする付記１に記載のケーブル迅速係止用の電気コネクタ。
【符号の説明】
【００４７】
１−ベース、２−トーションばね、３−弾性片、４−スライダ、５−ハンドル、６−ばね、７−ケーブル、８−接触端子、１１−ケーブル引込孔、１２−ハンドルロックアップ部、１３−ストッパ壁、１４−ハンドル取付軸、１５−弾性片支持軸、１６−端子取付孔、１７−ケーブル圧着ケース接続軸、２１−弾性壁、２２−支持アーム、３１−弾性端、３２−ケーブル圧着壁、４１−スライド斜面、４２−ガイド溝、４３−位置決め段差部、４４−ばね接続孔、５１−位置決め孔、５２−ハンドル先端部、５３−弾性片圧着ボス、５４−ロック孔、８１−ケーブル圧着領域、８２−接続領域、９−ケーブル圧着ケース、９１−ばね取付孔、９２−スライダ支持アーム、９３−固定孔
【図１】
2021508403.tif 000003
【図２】
2021508403.tif 000004
【図３】
2021508403.tif 000005
【図４】
2021508403.tif 000006
【図５】
2021508403.tif 000007
【図６】
2021508403.tif 000008
【図７】
2021508403.tif 000009
【図８】
2021508403.tif 000010
【図９】
2021508403.tif 000011
【国際調査報告】
2021508403.tif 000012
2021508403.tif 000013
2021508403.tif 000014
2021508403.tif 000015